(57)【特許請求の範囲】
【請求項１】
屋根に屋根裏と連通する換気口を設け、前記換気口を覆う換気カバーを屋根上に取り付けると共に前記換気カバーに屋根面に向けて開口する通気口を設け、前記換気口と前記通気口に連通する前記換気カバーの下側の通気路を通して前記屋根裏の換気を行なうようにした屋根の換気構造であって、前記通気口は、前記換気カバーの両側の側片の下端と前記屋根面との間の間隙であり、前記換気口と前記通気口の間の位置において前記通気路内に立ち上がる立上げ片を設け、前記立上げ片と前記通気口の間の位置において前記換気カバーの上面に風抜き用開口部を形成して成ることを特徴とする屋根の換気構造。
【請求項２】
前記換気口を覆う内カバーを前記換気カバーの下側に配置して設け、前記内カバーで前記通気路を上下に分割して、前記内カバーと前記換気カバーの間を通風流路部、前記内カバーの下側を排気流路部とし、前記通気口を前記通風流路部の両側に設けると共に、前記内カバーに設けた連通孔を介して前記排気流路部を前記通風流路部に連通させて成ることを特徴とする請求項１に記載の屋根の換気構造。
【請求項３】
前記屋根の棟頂部に、棟の両側に跨るように前記内カバーと前記換気カバーを取り付け、前記内カバーと前記換気カバーの棟を横切る方向でのそれぞれの断面形状を左右対称形状に形成すると共に、前記内カバーと前記換気カバーをそれぞれ、対称形状の中央部で屈曲角度可変更に形成して成ることを特徴とする請求項２に記載の屋根の換気構造。
【発明の詳細な説明】
【技術分野】
【０００１】
本発明は、屋根の棟部分などで屋根裏の換気を行なうようにした、屋根の換気構造に関するものである。
【背景技術】
【０００２】
屋根の棟頂部などで屋根裏の換気を行なうことができるようにした屋根の換気構造として、従来から特許文献１などで各種のものが提案されている。
【０００３】
図８はその一例を示すものであり、２０は棟木、２１は垂木、２２は野地板、２３は野地板２２の上に葺かれる屋根材である。棟の頂部において野地板２２に換気口３が開口して設けてあり、この換気口３を覆うように内カバー９が棟頂部に取り付けてある。この内カバー９には連通孔１２が開口して設けてある。また内カバー９を上から覆うように配置して、換気カバー４が棟頂部に取り付けてある。この換気カバー４の両側端部の下端は屋根材２３の上面より上方に浮かしてあり、換気カバー４の両側端部の下端と屋根材２３の上面の間に通気口５が形成されるようにしてある。２４は邪魔板である。
【０００４】
このように形成される換気構造にあって、屋根裏２の空気は、ａ矢印で示すように、換気口３から内カバー９の連通孔１２を通過し、内カバー９と換気カバー４の間の通気路６を通って、通気口５から排気される。このようにして屋根裏の換気がなされるものである。
【０００５】
一方、屋根面に沿って強風が流れると、この風は一方の通気口５からｂ矢印のように換気カバー４内に吹き込まれるが、換気カバー４内の通気路６を通過して、他方の通気口５から出て行くことになる。
【先行技術文献】
【特許文献】
【０００６】
【特許文献１】特開２００４−２５７１９６号公報
【発明の概要】
【発明が解決しようとする課題】
【０００７】
しかし、上記のように屋根面に沿って吹く風に雨水が含まれている場合、換気カバー４内の通気路６を通過する風の一部がｃ矢印のように連通孔１２を通って換気口３から屋根裏２に流入すると、雨水も屋根裏２に浸入するおそれがある。特に、強風が通気口５から換気カバー４内の通気路６内に吹き込まれると、風圧で通気路６内の圧力が高くなり、通気路６と屋根裏２の圧力差で通気路６内の空気が屋根裏２に吸い込まれ、このときに雨水も屋根裏２に浸入し易くなるものであった。
【０００８】
本発明は上記の点に鑑みてなされたものであり、雨水が屋根裏に浸入することを防ぐことができる屋根の換気構造を提供することを目的とするものである。
【課題を解決するための手段】
【０００９】
本発明に係る屋根の換気構造は、屋根１に屋根裏２と連通する換気口３を設け、この換気口３を覆う換気カバー４を屋根１上に取り付けると共に換気カバー４に屋根面に向けて開口する通気口５を設け、換気口３と通気口５に連通する換気カバー４の下側の通気路６を通して屋根裏２の換気を行なうようにした屋根の換気構造であって、通気口５は、換気カバー４の両側の側片の下端と前記屋根面との間の間隙であり、換気口３と通気口５の間の位置において通気口５に対向するよう通気路６内に立ち上がる立上げ片７を設け、平面視で立上げ片７と通気口５の間に位置するよう換気カバー４の上面に風抜き用開口部８を形成して成ることを特徴とするものである。
【００１０】
屋根裏２の空気は、換気口３から通気路６を通って、換気カバー４の通気口５より排気されるものであり、屋根裏２の換気を行なうことができるものである。そして屋根面に沿って流れる風が通気口５から通気路６内に吹き込んでも、この風は立上げ片７に突き当って、風抜き用開口部８から換気カバー４の外部へ抜けることになり、通気路６内から換気口３へと浸入することを極力抑制して、この風とともに雨水が換気口３から屋根裏２に浸入することを防ぐことができるものである。特に強風が通気口５から換気カバー４内に吹き込まれても、立上げ片７に突き当って風抜き用開口部８から外部へ抜けることによって、風圧で通気路６内の圧力が高くなることを防ぐことができ、通気路６と屋根裏２の圧力差で雨水が屋根裏２に吸い込まれることを未然に防止することができるものである。
【００１１】
また本発明は、上記換気口３を覆う内カバー９を換気カバー４の下側に配置して設け、内カバー９で上記通気路６を略上下に分割して、内カバー９と換気カバー４の間を通風流路部１０、内カバー９の下側を排気流路部１１とし、上記通気口５を通風流路部１０の両側に設けると共に、内カバー９に設けた連通孔１２を介して排気流路部１１を通風流路部１０に連通させて成ることを特徴とするものである。
【００１２】
この発明によれば、屋根面に沿って流れる強風が通気口５から換気カバー４内の通気路６に吹き込んでも、内カバー９で仕切られた通風流路部１０を通過して、他方の通気口５から出て行くものであり、この強風が換気口３に直接流れ込んで、強風とともに雨水が屋根裏２に浸入することを防ぐことができるものである。
【００１３】
また本発明は、屋根１の棟頂部に、棟の両側に跨るように上記の内カバー９と換気カバー４を取り付け、内カバー９と換気カバー４の棟を横切る方向でのそれぞれの断面形状を左右対称形状に形成すると共に、内カバー９と換気カバー４をそれぞれ、対称形状の中央部で屈曲角度可変更に形成して成ることを特徴とするものである。
【００１４】
この発明によれば、内カバー９と換気カバー４を屋根の棟頂部に取り付けるにあたって、屋根勾配に応じて内カバー９と換気カバー４を角度可変に屈曲することによって、各種の勾配の屋根に施工することができるものである。
【発明の効果】
【００１５】
本発明によれば、屋根面に沿って流れる風が通気口５から通気路６内に吹き込んでも、この風は立上げ片７に突き当って、風抜き用開口部８から換気カバー４の外部へ抜けることになり、通気路６内から換気口３へと浸入することを極力抑制して、この風とともに雨水が換気口３から屋根裏２に浸入することを防ぐことができるものである。特に強風が通気口５から換気カバー４内に吹き込まれても、立上げ片７に突き当って風抜き用開口部８から外部へ抜けることによって、風圧で通気路６内の圧力が高くなることを防ぐことができ、通気路６と屋根裏２の圧力差で雨水が屋根裏２に吸い込まれることを未然に防止することができるものである。
【図面の簡単な説明】
【００１６】
【図１】本発明の実施の形態の一例を示すものであり、（ａ）（ｂ）はそれぞれ断面図である。
【図２】同上の分解斜視図である。
【図３】同上の換気カバーと内カバーの斜視図である。
【図４】同上の一部の拡大した断面図である。
【図５】本発明の他の実施の形態を示す概略断面図である。
【図６】換気構造の形成部位を示すものであり、（ａ）（ｂ）は概略図である。
【図７】換気カバーと内カバーの他例を示すものであり、（ａ）はこれらのカバーを屋根に取り付けた状態の断面図、（ｂ）はこれらのカバーの端部の切断端面図である。
【図８】従来例を示す断面図である。
【発明を実施するための形態】
【００１７】
以下、本発明の実施の形態を説明する。
【００１８】
換気カバー４は図２や図３に示すように、縦断面が逆Ｖ字形に形成されるものであり、その両側端（軒側端縁）にそれぞれ換気カバー側片２７が下方へ一体に延出して設けてある。この各換気カバー側片２７の下端にはそれぞれ内方（棟側）へ屈曲する屈曲片２８が設けてある。また換気カバー４の両側端部にそれぞれ風抜き用開口部８が上下に開口して設けてある。この風抜き用開口部８は換気カバー４の側端縁に沿って細長いスロット状に形成してあり、各風抜き用開口部８はガラリ形状に形成してある。風抜き用開口部８の形態は、このようなガラリ形状の他、単に上下に貫通する丸穴など、任意に形成することができる。換気カバー４は金属板のプレス加工などで形成されるものであり、全体の断面形状が上記のように逆Ｖ字形であって、左右対称形状に形成してある。そしてこの逆Ｖ字形の頂部の折り曲げ角度を大きくしたり小さくしたり調整することによって、逆Ｖ字形の屈曲角度を調整することができるようにしてある。
【００１９】
内カバー９は図２に示すように、縦断面が逆Ｖ字形に形成される内カバー本体９ａと、内カバー本体９ａの上面に取り付けられる第一仕切片３３及び第二仕切片３７とからなるものであり、内カバー本体９ａの両側端にそれぞれ内カバー側片３０が下方へ一体に延出して設けてある。この各内カバー側片３０の下端にはそれぞれ外方へ屈曲する固定片３１が設けてある。内カバー本体９ａの両側端部にはそれぞれ上下に開口する通風孔３６が形成してある。この通風孔３６は内カバー本体９ａの側端縁に沿って細長いスロット状に形成してあり、通風孔３６の周縁の全周に上方へ立ち上がる堰片３２が設けてある。内カバー本体９ａは金属板のプレス加工などで形成されるものであり、全体の断面形状が上記のように逆Ｖ字形であって、左右対称形状に形成してある。そしてこの逆Ｖ字形の頂部の折り曲げ角度を大きくしたり小さくしたり調整することによって、逆Ｖ字形の屈曲角度を調整することができるようにしてある。
【００２０】
長尺の金属板で形成される第一仕切片３３は、縦の第一起立片７ａの下端に固定片３４を一方に屈曲して設けると共に上端に屈曲片３５を他方に屈曲して設けて形成されるものである。また長尺の金属板で形成される第二仕切片３７は、縦の起立片３８の下端に固定片３９を一方に屈曲して設けると共に上端に覆い片４０を他方に屈曲して設けて形成されるものである。
【００２１】
第一仕切片３３は、内カバー本体９ａの両側の各端部においてその上面に取り付けられるものである。すなわち、第一仕切片３３を、その固定片３４が内側（棟側）を、屈曲片３５が外側（軒側）を向くように配置して、固定片３４を内カバー本体９ａの側端の上面に載置し、固定片３４を内カバー本体９ａにビス止め、リベット止め、溶接等で固定することによって、内カバー本体９ａに第一仕切片３３を取り付けることができる。このとき図４に示すように、第一仕切片３３は、第一起立片７ａが内カバー本体９ａの内カバー側片３０より外側に位置するように、一部を内カバー本体９ａの内カバー側片３０より外側に飛び出させた状態で取り付けるようにしてあり、内カバー本体９ａの内カバー側片３０と第一仕切片３３の第一起立片７ａにより立上げ片７が形成され、また、内カバー本体９ａの側端の上面から突出する段差部５５が立上げ片７の中程に形成されるようにしてある。
【００２２】
第二仕切片３７は、内カバー本体９ａの各通風孔３６を覆う位置において、内カバー本体９ａの上面に取り付けられるものである。すなわち、通風孔３６より中央（棟）寄りの位置において内カバー本体９ａの上に第二仕切片３７の固定片３９を載置することによって、第二仕切片３７の覆い片４０で通風孔３６を上から覆い、固定片３９を内カバー本体９ａにビス止め、リベット止め、溶接等で固定することによって、内カバー本体９ａに第二仕切片３７を取り付けることができる。そして、第一仕切片３３の第一起立片７ａの上端縁と、第二仕切片３７の覆い片４０の軒側端縁との間に、スリット状の連通孔１２が形成される。尚、図４のように、第一起立片７ａの上端縁（すなわち屈曲片３５）の高さは、覆い片４０の軒側端縁の高さと同等かあるいはそれより高い位置になるように設定するのが、風の流れ制御に適している。すなわち、後述のように立上げ片７の上部を構成する第一起立片７ａの上を乗り越えた風が通風流路部１０を通過する際に、この風が連通孔１２から排気流路部１１へと流れ込むことを防ぐことができるものであり、通風流路部１０内での風の流れがよりスムーズになるものである。
【００２３】
さらに４２は連結具であり、ピース物として形成されるものである。連結具４２は縦片４３の下端に下固定片４４を屈曲して設けると共に縦片４３の上端に上固定片４５を同方向へ屈曲して設け、上固定片４５の先端にＬ字形の接片４６を設けることによって形成されるものである。上固定片４５には、上固定片４５の屈曲方向と平行な方向に細長い長孔として固定孔４７が穿設してある。
【００２４】
図１は屋根１の棟頂部に上記の内カバー９と換気カバー４を取り付けて、屋根の棟に換気構造を形成するようにした実施形態を示すものである。屋根１は、棟木２０の両側に垂木２１を配置し、垂木２１の上に野地板２２を取り付け、野地板２２の上に防水シート５０を張ると共にその上に屋根材２３を葺くことによって、形成されるものである。そして屋根の棟頂部に、野地板２２の端部を切り欠いて換気口３が形成してあり、屋根裏２の空間はこの換気口３によって開口している。図１において５１は換気口３の内周を囲むように設けられた水切りである。
【００２５】
内カバー９は換気口３を上方から覆う状態で、屋根１の棟頂部において、棟の両側を跨ぐように配置されるものである。そして内カバー９の固定片３１を防水材５３を介して屋根材２３の上に載置し、ビス等の固着具をこの固定片３１から屋根材２３を通して野地板２２に打ち込むことによって、内カバー９を固定するようにしてある。
【００２６】
この内カバー９には連結具４２を予め取り付けた状態で、内カバー９を上記のように屋根１に固定する施工を行なうようにしてもよい。
【００２７】
連結具４２は、第一仕切片３３の上から内カバー９に取り付けられるものである。すなわち、第一仕切片３３の第一起立片７ａの背面に縦片４３を当接させるように連結具４２を配置した状態で、第一仕切片３３の固定片３４の上に連結具４２の下固定片４４を載置して、固定片３４に下固定片４４をビス止め、リベット止め、溶接等で固定することによって、連結具４２を内カバー９の上に取り付けることができる。なお、連結具４２の下固定片４４から第一仕切片３３の固定片３４を介して内カバー本体９ａに至るよう、ビス止め、リベット止め等で固定することにより、連結具４２と第一仕切片３３を一度の作業で内カバー本体９ａに固定することができる。このように連結具４２を内カバー９に取り付けると、連結具４２の上固定片４５に設けた接片４６が第二仕切片３７の覆い片４０の上に載置されるようになっており、覆い片４０の高さ位置が所定位置に規制される。接片４６は覆い片４０に固定するようにしてもよい。
【００２８】
また、換気カバー４は換気口３の上方において、内カバー９を上から覆う状態で、棟の両側を跨ぐように屋根１の棟頂部に配置されるものである。そして内カバー９の上に取り付けた連結具４２の上に換気カバー４を載置し、連結具４２の上固定片４５に換気カバー４を結合することによって、換気カバー４の取り付けを行なうことができるものである。連結具４２の上固定片４５に対する換気カバー４の結合は、図４に示すように、換気カバー４に設けた通孔５７にビス５８を通し、このビス５８を連結具４２の上固定片４５の固定孔４７にねじ込むことによって、行なうことができる。
【００２９】
このように換気カバー４を取り付けると、換気カバー４の両側の側端（すなわち軒側端部）は内カバー９の両側端よりも軒側に位置し、換気カバー４の両側の側片２７の下端と、屋根１の表面を形成する屋根材２３の上面との間に小さい間隙が形成されるようになっている。この換気カバー４の両側の側片２７の下端と屋根材２３の上面との間の小さい間隙が、屋根面に向けて開口する通気口５となるものである。そして換気カバー４内には、換気カバー４と屋根面との間に通気路６が形成されるものであり、この通気路６は換気カバー４の両側端の通気口５によって、棟の両側において外部に開口するものである。また内カバー９の側端部に位置する立上げ片７が通気口５の内側近傍に配置されている。換気カバー４の上面に設けた風抜き用開口部８は、平面視においてこの立上げ片７よりも軒側に位置するようにしてあり、立上げ片７と通気口５の間に風抜き用開口部８が配置されるようにしてある。
【００３０】
換気カバー４の下側には内カバー９が設けてあるので、換気カバー４内の通気路６は内カバー９で上下に分割されるものであり、上側が、換気カバー４と内カバー９との間の通風流路部１０、下側が、内カバー９と屋根面との間の排気流路部１１となるものである。この通風流路部１０と排気流路部１１は内カバー９に設けた連通孔１２によって連通されている。また通風流路部１０の両側端は通気口５によって屋根面に向けて開口しており、排気流路部１１は屋根裏２に換気口３によって開口している。従って、屋根裏２の空間は、換気口３、排気流路部１１、通風孔３６、連通孔１２、通風流路部１０、通気口５を通して屋外空間に連通されているものである。
【００３１】
上記のように形成される屋根の換気構造にあって、屋根裏２の空気は、図１（ａ）のａ矢印のように、換気口３を通って排気流路部１１に流入し、次いで通風孔３６から連通孔１２を通って通風流路部１０に流入し、さらに通風流路部１０を流れて通気口５に至り、通気口５を通過して屋外空間に排気される。このような経路で屋根裏２の空気は屋外空間に排気され、屋根裏２の換気を行なうことができるものである。また降雨時等において雨水は、換気カバー４で遮られて換気口３から屋根裏２に浸入することを防ぐことができるものであり、特に換気口３は換気カバー４の他に内カバー９によっても覆われているので、二重に雨水の浸入を防止できるものである。
【００３２】
一方、強風時に風が屋根１に吹き当ると、風は屋根１の表面に沿って軒側から棟側へと吹き上がることになり、この風は図１（ｂ）のｂ矢印のように、屋根面に向けて開口する通気口５から通気路６の通風流路部１０に流れ込む。しかしこの通気口５の内側近傍には上記のように立上げ片７が配置されており、立上げ片７は通風流路部１０の縦幅の半分程度の高さまで下から立ち上がっているので、通気口５から強風が通気路６の通風流路部１０に流れ込んでも立上げ片７で遮られる。このように立上げ片７で遮られた風は立上げ片７に沿って上方へ向きを変え、そして通気口５と立上げ片７との間の上方において開口する風抜き用開口部８を通過して、図１（ｂ）のｃ矢印のように屋外空間に抜け出る。このとき上記のように、立上げ片７の中程には段差部５５が形成されているので、通気口５から吹き込まれた風の流れがこの段差部５５で反転するように変更され、風の勢いが抑制されることになり、そのまま立上げ片７に沿って上方へ流れて風抜き用開口部８から抜け出易くなるようにしてある。また、屈曲片３５によって、雨水の浸入が抑えられるとともに、長尺に形成される第一仕切片３３の強度アップ、捩れ防止にもなっている。なお、段差部５５の高さは、通気口５の上端の高さと同等か僅かに高い位置が風の流れ制御に適している。
【００３３】
ここで、通気口５から吹き込んだ風を立上げ片７で遮るだけでは、吹き込んだ風の多くが立上げ片７の上を乗り越えて通風流路部１０を流れることになり、その一部が換気口３へと至って、風と共に雨水が換気口３から屋根裏２に流入するおそれがある。これに対して本発明では上記のように、立上げ片７で遮られた風が風抜き用開口部８を通過して屋外空間に抜け出るので、立上げ片７の上を乗り越えて通風流路部１０を流れる風は少なくなる。このため換気口３に至る風の量は微少になり、風と共に雨水が換気口３から屋根裏２に流入することを防ぐことができるものである。また、通気口５から吹き込んだ風を立上げ片７で遮るだけでは、吹き込んだ強風の風圧で通風流路部１０内の圧力が高くなり、通風流路部１０内の圧力と屋根裏２内の圧力の差で、通風流路部１０内の空気が排気流路部１１を通過して屋根裏２内に吸い込まれ、この吸い込まれる空気と共に雨水も屋根裏２に浸入するおそれがある。これに対して本発明では上記のように、立上げ片７で遮られた風が風抜き用開口部８を通過して屋外空間に抜け出るので、通風流路部１０内の圧力が高くなることはない。このため、通風流路部１０内の圧力と屋根裏２の圧力の差で通風流路部１０内の空気が屋根裏２内に吸い込まれるようなことがなくなり、雨水が屋根裏２内に浸入することも防ぐことができるものである。
【００３４】
そして上記のように通気口５から吹き込んだ風の一部は、図１（ｂ）のｄ矢印のように立上げ片７の上を乗り越えて通風流路部１０を流れる。しかし換気カバー４内の通気路６は内カバー９によって、この通風流路部１０と排気流路部１１とに分割されているので、立上げ片７の上を乗り越えた風は通風流路部１０をそのまま通過し、風が吹き込まれた側と反対側の通気口５から大気中に吹き出される。従って、雨と共に風が通気口５から吹き込まれても、多くの風は立上げ片７で遮られて風抜き用開口部８から放出されるものであり、また風の一部が立上げ片７の上を乗り越えても、通風流路部１０をそのまま通過して他方の通気口５から放出されるものであり、この風が排気流路部１１へと入り込んで換気口３から屋根裏２に流入することを防ぐことができるものである。
【００３５】
尚、換気カバー４の頂部下面や、内カバー９の頂部下面には吸水性の結露防止シート６０が貼ってあり、換気カバー４の下面や内カバー９の下面に結露が発生することを防ぐようにしてある。また仮に結露が発生して、例えば換気カバー４の下面から結露水が落下しても、内カバー９に連通孔１２と位置ずれさせて通風孔３６を設けているので、結露水が連通孔１２を通過しても、換気口３から屋根裏２に浸入することを防ぐことができる。このように結露水が換気口３に落下することを防ぐことができるが、この第二仕切片３７は、雨水を含んだ風が連通孔１２を通って換気口３へと流入することを妨げる役目もしていることは、いうまでもない。また内カバー本体９ａの上面を流れる雨水や結露水は、通風孔３６の周囲に設けた堰片３２に堰止められて、通風孔３６を通過することを防ぐようにしてある。
【００３６】
図１の実施の形態は、棟の両側に屋根面を有する両流れの屋根の棟において、換気構造を形成するようにしたものである。このような両流れの屋根において、棟の両側の屋根面の傾きは、屋根ごとに異なる。従って、棟頂部に取り付ける換気カバー４や内カバー９の断面逆Ｖ字形の角度を、屋根面の傾斜角度に合わせる必要がある。そこで本発明では、換気カバー４や内カバー９の逆Ｖ字形の頂部の折り曲げ角度を大きくしたり小さくしたり調整することができるようにしてあり、屋根面の傾斜角度に合わせて逆Ｖ字形の屈曲角度を調整し、棟頂部への取り付けの施工を容易に行なうことができるようにしてある。
【００３７】
ここで、図３に示すように、換気カバー４の棟に沿った長手方向の両端面には端面片６２を設けて閉塞しているが、この端面片６２は換気カバー４の頂点を境に左右一対の片６２ａ，６２ａに分割してある。そして、端面片６２の各片６２ａ，６２ａの対向側の端部は重なり合っており、換気カバー４の頂部の折り曲げ角度を調整しても、常に各片６２ａ，６２ａが重なり合う端面片６２で、換気カバー４の両端面の閉塞状態を保持することができるものである。
【００３８】
また、換気カバー４は内カバー９の上に連結具４２で連結して取り付けてあるので、上記のように換気カバー４や内カバー９の逆Ｖ字形頂部の折り曲げ角度を変えると、換気カバー４の連結具４２に対する結合位置がずれることになる。そこで上記のように、連結具４２の上固定片４５に設けた固定孔４７を長孔として形成してある。すなわち図４のように、換気カバー４に設けた通孔５７に通したビス５８を固定孔４７にねじ込んで、連結具４２に換気カバー４を取り付けるにあたって、長孔の固定孔４７に対するビス５８のねじ込み位置を矢印方向で調整することによって、連結具４２に対する換気カバー４の結合位置のずれを調整することができるものである。
【００３９】
特に、本実施の形態においては、内カバー９の側端縁に通風孔３６を位置させることで覆い片４０を両側に分割することができ、内カバー９の頂部を、換気カバー４の頂部と同様、屋根勾配に対応して折曲しやすいように金属板等の薄板を一重（結露防止シート６０のように柔軟性のある材料であれば重ねていても特に問題は無い）にして形成することが可能となる。そのため、高い防水性を確保しながら、勾配対応も容易になる。
【００４０】
図５は本発明の他の実施の形態を示すものであり、このものでは内カバー９を屋根面に接して取り付けるようにしてある。図５において６４は換気カバー４や内カバー９に設けた邪魔板片である。
【００４１】
また上記の各実施の形態では、図６（ａ）のイ部に示す、両流れ屋根の棟頂部に換気カバー４や内カバー９を取り付けて換気構造を形成するようにしたが、図６（ｂ）のロ部に示すような、片流れ屋根の棟頂部に同様な換気構造を形成するようにしてもよい。さらに図６（ａ）のハ部に示すような、母屋の壁面から屋根を片流れに出して付け足した差掛けの箇所に同様な換気構造を形成するようにしてもよい。
【００４２】
図７は換気カバー４と内カバー９の他の例を示すものであり、図７（ａ）は換気カバー４と内カバー９を図１と同様にして屋根１に取り付けた状態を示す断面図、図７（ｂ）は換気カバー４と内カバー９の棟に沿った長手方向の端部の箇所の切断端面図である。この例において換気カバー４は、風抜き用開口部８を設けないようにした他は、上記の図１〜図４の換気カバー４とほぼ同様の構成に形成してある。
【００４３】
また内カバー９も、上記の図１〜図４の内カバー９とほぼ同様の構成に形成してあるが、図７の例では、内カバー９の上面に取り付けた第二仕切片３７の覆い片４０を、換気カバー４の通気口５側へ向けて斜め下方に傾斜させて形成してある。ここで覆い片４０は上記のように、第一起立片７ａを形成する立上げ片７の上端と同じか低い位置になるように設定してあり、第一起立片７ａの上を乗り越えた風が通風流路部１０を通過する際に連通孔１２から排気流路部１１へと流れ込むことを防ぐようにしている。このとき、図７の例のように覆い片４０を下り傾斜させることによって、第一起立片７ａの上を乗り超えた風は、覆い片４０の下側へ回り込み難くなると共に、覆い片４０の上面を傾斜に沿って流れ易くなり、風が連通孔１２から排気流路部１１へと流れ込むことをより確実に防ぐことができるものである。
【符号の説明】
【００４４】
１  屋根
２  屋根裏
３  換気口
４  換気カバー
５  通気口
６  通気路
７  立上げ片
８  風抜き用開口部
９  内カバー
１０  通風流路部
１１  排気流路部
１２  連通孔
【図１】
0005452321.tif 000002
【図２】
0005452321.tif 000003
【図３】
0005452321.tif 000004
【図４】
0005452321.tif 000005
【図５】
0005452321.tif 000006
【図６】
0005452321.tif 000007
【図７】
0005452321.tif 000008
【図８】
0005452321.tif 000009